【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
非導電性膜および部分電源装置を各含む複数の通信装置を製造する方法であって、
組み立て用膜シートを生成するために、前記複数の通信装置それぞれにおけるフレームワークの形状に対応する形状の開口部を非導電性材料のシートに形成することと、
組み立て済み膜シートを生成するために、支持構造における接着剤を有する表面の反対側の表面に、遷移金属の層を堆積することを含む工程によって製造された複数の前記部分電源装置から選択される一の部分電源装置を、前記開口部それぞれに挿入することと、
接着膜シートを生成するために、前記組み立て済み膜シートにおける前記遷移金属と反対側の面に、複数の穴を画定している非反応性材料の層を堆積することと、
前記非反応性材料に接着する第１の材料を前記接着膜シートにおける前記接着剤側の面に堆積することと、
部分電源装置シートを生成するために、前記遷移金属の層に第２の材料を堆積することと
を含み、
前記第１の材料及び第２の材料は、導電性流体に接触すると電位差を生ずるように構成されていること
を特徴とする方法。
【請求項２】
それぞれが各通信装置の回路に対応する複数の境界を前記支持構造に画定すること
をさらに含むことを特徴とする請求項１に記載の方法。
【請求項３】
前記非反応性材料の層を堆積することは、穴の群を画定することをさらに含み、
前記穴の群はそれぞれ、前記複数の境界から選択される一の境界内に含まれることで、前記穴の群における各穴の位置が対応する境界内にあること
を特徴とする請求項２に記載の方法。
【請求項４】
前記接着剤上に前記第１の材料を堆積するに際して、前記第１の材料における任意の端部が前記複数の穴の何れにも重ならないようにすること
を特徴とする請求項１に記載の方法。
【請求項５】
前記第１の材料の前記端部は、前記接着剤の端部の何れか一つと前記境界との間に位置すること
を特徴とする請求項４に記載の方法。
【請求項６】
前記複数の穴は、前記接着剤の前記端部の何れか一つから第１の距離だけ間隔をあけて配置されていること
を特徴とする請求項４に記載の方法。
【請求項７】
前記第１の距離は、前記複数の穴の何れか一つに重なる位置に前記第１の材料の前記端部がくることがないように前記複数の穴が前記境界内に含まれるために、前記接着剤の前記端部の何れか一つから前記穴を離すために必要な最低限の距離であること
を特徴とする請求項６に記載の方法。
【請求項８】
非導電性膜および部分電源装置を各含む複数の通信装置を製造する方法であって、
組み立て用膜シートを生成するために、前記複数の通信装置それぞれにおけるフレームワークの形状に対応する形状の開口部を非導電性材料のシートに形成することと、
組み立て済み膜シートを生成するために、支持構造における接着剤を有する表面の反対側の表面に、遷移金属の層を堆積することを含む工程によって製造された複数の前記部分電源装置から選択される一の部分電源装置を、前記開口部それぞれに挿入することと、
接着膜シートを生成するために、前記組み立て済み膜シートにおける前記遷移金属と反対側の面に、複数の穴を画定している非反応性材料の層を堆積することと、
前記非反応性材料に接着する第１の材料を前記接着膜シートにおける前記接着剤側の面に堆積することと、
部分電源装置シートを生成するために、前記遷移金属の層に第２の材料を堆積することと、
前記組み立て済み膜シートから前記複数の通信装置の少なくとも一つを取り出すことと
を含み、
前記第１の材料及び第２の材料は、導電性流体に接触すると電位差を生ずるように構成されていること
を特徴とする方法。
【請求項９】
パンチプレスを用いて前記組み立て済みシートから前記複数の通信装置の少なくとも一つを打ち抜くことにより、前記組み立て済み膜シートから前記複数の通信装置の少なくとも一つを取り出すこと
を特徴とする請求項８に記載の方法。
【請求項１０】
前記複数の通信装置の少なくとも一つが前記組み立て済み膜シートから取り出された後、前記複数の通信装置の少なくとも一つにコーティングを適用することをさらに含むこと
を特徴とする請求項８に記載の方法。
【請求項１１】
前記第１の材料を堆積することはＣｕＣｌ材料を堆積することを含むこと
を特徴とする請求項１に記載の方法。
【請求項１２】
前記第２の材料を堆積することはＭｇ材料を堆積することを含むこと
を特徴とする請求項１に記載の方法。
【請求項１３】
非導電性膜および部分電源装置を各含む複数の通信装置を製造する方法であって、
組み立て用膜シートを生成するために、前記複数の通信装置それぞれにおけるフレームワークの形状に対応する形状の開口部を非導電性材料のシートに形成することと、
組み立て済み膜シートを生成するために、支持構造における接着剤を有する表面の反対側の表面に、遷移金属の層を堆積することを含む工程によって製造された複数の前記部分電源装置から選択される一の部分電源装置を、前記開口部それぞれに挿入し、前記遷移金属及びフレームワークを加熱することと、
接着膜シートを生成するために、前記組み立て済み膜シートにおける前記遷移金属と反対側の面に、複数の穴を画定している非反応性材料の層を堆積することと、
前記非反応性材料に接着する第１の材料を前記接着膜シートにおける前記接着剤側の面に堆積することと、
部分電源装置シートを生成するために、前記遷移金属の層に第２の材料を堆積することと
を含み、
前記第１の材料及び第２の材料は、導電性流体に接触すると電位差を生ずるように構成されていること
を特徴とする方法。
【請求項１４】
前記遷移金属及びフレームワークを加熱後、前記遷移金属の表面をクリーニングすることをさらに含むこと
を特徴とする請求項１３に記載の方法。
【請求項１５】
前記遷移金属の表面を銃を用いてイオンでクリーニングすることにより、前記遷移金属の表面をクリーニングすること
を特徴とする請求項１４に記載の方法。
【請求項１６】
前記遷移金属のクリーニングされた表面に前記第２の材料を堆積すること
をさらに含むことを特徴とする請求項１３に記載の方法。
【請求項１７】
前記接着剤は、前記第１の材料を受け入れるために未仕上げの表面を有していること
を特徴とする請求項１３に記載の方法。
【請求項１８】
前記第１の材料を前記接着剤が受け入れる前に、前記接着剤の前記表面を粗面化すること
を特徴とする請求項１７に記載の方法。
【請求項１９】
前記第１の材料を堆積することはＣｕＣｌ材料を堆積することを含むこと
を特徴とする請求項１３に記載の方法。
【請求項２０】
前記第２の材料を堆積することはＭｇ材料を堆積することを含むこと
を特徴とする請求項１３に記載の方法。
【請求項２１】
非導電性膜と、
接着剤を有する第１の表面及び堆積された遷移金属の層を有する第２の表面を有する支持構造、
複数の穴を画定しており、接着膜シートを生成するために前記遷移金属上に堆積される非反応性材料の層、
前記接着剤上に堆積され、前記非反応性材料に接着する第１の材料、
部分電源装置シートを生成するために前記遷移金属の層上に堆積された第２の材料
を有する部分電源と
を備え、
前記第１の材料及び第２の材料は、導電性流体と接触する際に電位差を生ずるように構成されていること
を特徴とする通信装置。
【請求項２２】
それぞれが各装置の回路に対応するように支持構造上に画定された複数の境界をさらに備えること
を特徴とする請求項２１に記載の通信装置。
【請求項２３】
前記非反応性材料の層上に穴の群をさらに画定し、
前記穴の群はそれぞれ、前記複数の境界から選択される一の境界内に含まれることで、前記穴の群における各穴の位置が対応する境界内にあること
を特徴とする請求項２２に記載の通信装置。
【請求項２４】
前記第１の材料は、任意の端部が前記複数の穴の何れにも重ならないように、前記接着剤上に堆積されること
を特徴とする請求項２１に記載の通信装置。
【請求項２５】
前記第１の材料の前記端部は、前記接着剤の端部の何れか一つと前記境界との間に位置すること
を特徴とする請求項２４に記載の通信装置。
【請求項２６】
前記複数の穴は、前記接着剤の何れか一つの端部から第１の距離だけ間隔をあけて配置されていること
を特徴とする請求項２４に記載の通信装置。
【請求項２７】
前記第１の距離は、前記複数の穴の何れか一つに重なる位置に前記第１の材料の端部が来ることがないように前記複数の穴が前記境界内に含まれるために、前記接着剤の前記端部の何れか一つから前記穴を離すために必要な最低限の距離であること
を特徴とする請求項２６に記載の通信装置。
【請求項２８】
組み立て用膜シートを生成するために、非導電性材料のシートに形成された開口部に配されるように構成されており、
前記開口部それぞれは、前記通信装置のフレームワークの形状に対応する形状をなしていること
を特徴とする請求項２１に記載の通信装置。
【手続補正２】
【補正対象書類名】図面
【補正対象項目名】図５Ｃ
【補正方法】変更
【補正の内容】
【図５Ｃ】
2014529378.tif 000001
【手続補正３】
【補正対象書類名】図面
【補正対象項目名】図７
【補正方法】変更
【補正の内容】
【図７】
2014529378.tif 000002
【手続補正４】
【補正対象書類名】図面
【補正対象項目名】図８
【補正方法】変更
【補正の内容】
【図８】
2014529378.tif 000003
【手続補正５】
【補正対象書類名】図面
【補正対象項目名】図９
【補正方法】変更
【補正の内容】
【図９】
2014529378.tif 000004
【手続補正６】
【補正対象書類名】図面
【補正対象項目名】図１０
【補正方法】変更
【補正の内容】
【図１０】
2014529378.tif 000005
【手続補正７】
【補正対象書類名】図面
【補正対象項目名】図１１
【補正方法】変更
【補正の内容】
【図１１】
2014529378.tif 000006